(57)【要約】【課題】従来の電子ペン用帳票は、ドットパターンが形成された面の少なくとも一部に透明性保護部材を設けるもので、ドットパターンが形成されていない帳票部分は傷み易い。【解決手段】前記課題を解決するために、シートの一方の面を接着剤を介して透明な保護フィルムで被覆したラミネート物であって、前記接着剤及び保護フィルムには、赤外線を吸収する物質が含まれず、前記シートの少なくとも保護フィルムが形成される側の面には赤外線非吸収インキにより図柄が印刷され、前記図柄が印刷されたシートの表面には、さらに、赤外線吸収インキにより電子ペン読取り用ドットパターンが印刷されたラミネート物を提供するものである。【選択図】  図１
2010023255.tif 000002
【特許請求の範囲】
【請求項１】
シートの一方の面を接着剤を介して透明な保護フィルムで被覆したラミネート物であって、
前記接着剤及び保護フィルムには、赤外線を吸収する物質が含まれず、
前記シートの少なくとも保護フィルムが形成される側の面には赤外線非吸収インキにより図柄が印刷され、
前記図柄が印刷されたシートの表面には、さらに、赤外線吸収インキにより電子ペン読取り用ドットパターンが印刷されたことを特徴とするラミネート物。
【請求項２】
シートの表裏全面を接着剤を介して透明な保護フィルムで被覆したラミネート物であって、
前記接着剤及び保護フィルムには、赤外線を吸収する物質が含まれず、
前記シートには赤外線非吸収インキにより図柄が印刷され、
前記図柄が印刷されたシートの表面には、さらに、赤外線吸収インキにより電子ペン読取り用ドットパターンが印刷されたことを特徴とするラミネート物。
【請求項３】
請求項１又は２に記載のラミネート物において、
シートの周縁には保護フィルムだけによる透明な縁取りが形成されたことを特徴とするラミネート物。
【発明の詳細な説明】
【技術分野】
【０００１】
本発明は、電子ペン読取り用ドットパターンが印刷された印刷物を被覆したラミネート物に関する。
【背景技術】
【０００２】
近年、電子ペンによる入力システムが提供されている。
これは、スウェーデンの「Ａｎｏｔｏ社」が開発した入力システムで、「アノトペン」と呼ばれる電子ペンと、電子ペン読取り専用ドットパターン（以下、単にドットパターンともいう）が印刷された電子ペン書き込み用専用用紙（以下、電子ペン記載用紙という）に記載された情報をその場で電子化情報として通信端末に送信するシステムである。
電子ペンは、通常の筆記部と、筆記部によって用紙の記載面に記載された情報を用紙の記載面に印刷されたドットパターン情報として読み取るための撮像部と、読み取ったドットパターン情報を送信するための通信部等を搭載している。
記載者が電子ペン記載用紙の上に文字などを記載すると、ペンの移動に伴って電子ペンの撮像部が電子ペン記載用紙上に印刷されたドットパターンを読み取り、記載者が記載した文字などの入力情報を電子情報として記憶する。
電子ペンが記憶した入力情報は、前述の通信部により、電子ペンから近くのパーソナルコンピュータや携帯電話などの通信端末に送信される。
電子ペンを使用する前述の入力システムでは、電子ペンがキーボードの役割を果たすのであるが、記載者は従来どおりの感覚で申し込み等を行うことができる。
【０００３】
このシステムの運用において、電子ペン記載用紙を繰り返し利用できる「電子ペン用帳票」が提供されている（例えば、特許文献１参照）。
特許文献１に記載されている「電子ペン用帳票」は、電子ペンにより情報取得可能なドットパターンが形成されている帳票のドットパターン形成面の少なくとも一部に透明性保護部材を設け、ドットパターン部分の劣化を防止しようとするものである。
【０００４】
【特許文献１】特開２００５−５６３５７号公報
【発明の開示】
【発明が解決しようとする課題】
【０００５】
特許文献１に記載された電子ペン用帳票はドットパターンが形成された面の少なくとも一部に透明性保護部材を設けるもので、ドットパターンが形成されていない帳票部分は傷み易い。
そこで本発明は、前述の欠点をカバーするために、電子ペン読取り用ドットパターンが印刷された印刷物を被覆したラミネート物を提供することを目的とするものでる。
【課題を解決するための手段】
【０００６】
前記課題の目的を達成するために、本発明のラミネート物の第一の態様は、シートの一方の面を接着剤を介して透明な保護フィルムで被覆したラミネート物であって、前記接着剤及び保護フィルムには、赤外線を吸収する物質が含まれず、前記シートの少なくとも保護フィルムが形成される側の面には赤外線非吸収インキにより図柄が印刷され、前記図柄が印刷されたシートの表面には、さらに、赤外線吸収インキにより電子ペン読取り用ドットパターンが印刷されたことを特徴とするものである。
【０００７】
また、第二の態様は、シートの表裏全面を接着剤を介して透明な保護フィルムで被覆したラミネート物であって、前記接着剤及び保護フィルムには、赤外線を吸収する物質が含まれず、前記シートには赤外線非吸収インキにより図柄が印刷され、前記図柄が印刷されたシートの表面には、さらに、赤外線吸収インキにより電子ペン読取り用ドットパターンが印刷されたことを特徴とするものである。
【０００８】
また、第三の態様は、第一又は第二の態様において、シートの周縁には保護フィルムだけによる透明な縁取りが形成されたことを特徴とするものである。
【発明の効果】
【０００９】
１）第一の態様のように、シートの一方の面を接着剤を介して透明な保護フィルムで被覆したラミネート物であって、前記接着剤及び保護フィルムには、赤外線を吸収する物質が含まれず、前記シートの少なくとも保護フィルムが形成される側の面には赤外線非吸収インキにより図柄が印刷され、前記図柄が印刷されたシートの表面には、さらに、赤外線吸収インキにより電子ペン読取り用ドットパターンが印刷されたことにより、記載部分のインキを拭き取って繰り返し使用することができる。また、シートの印刷面が透明な保護フィルムで被覆されているために図柄及びドットパターンが印刷されたシート全体の強度が向上し、少なくともシートの電子ペン読取り用ドットパターンが印刷された面の折り曲げ傷などによるシートの傷みや、水などの付着による劣化を防止することができる。
２）また、第二の態様のように、シートの表裏全面を接着剤を介して透明な保護フィルムで被覆したラミネート物であって、前記接着剤及び保護フィルムには、赤外線を吸収する物質が含まれず、前記シートには赤外線非吸収インキにより図柄が印刷され、前記図柄が印刷されたシートの表面には、さらに、赤外線吸収インキにより電子ペン読取り用ドットパターンが印刷されたことによって、記載部分のインキを拭き取って繰り返し使用することができる。また、シートの表裏が透明な保護フィルムで被覆されているために、湿度変化によるカールが発生せず、また、シートの電子ペン読取り用ドットパターンが印刷された面の傷みや、水などの付着による劣化を防止することができる。
３）また、第三の態様のように、第一又は第二の態様において、シートの周縁には保護フィルムだけによる透明な縁取りが形成されたことによって、周縁から水等が浸透することがなく、雨天の屋外で使用することが可能となる。また、記載部分のインキを拭き取って繰り返し使用する際に、シートを水，洗剤、または、溶剤などで丸洗いすることができる。
【発明を実施するための最良の形態】
【００１０】
以下、図面を参照して、本実施の形態のラミネート物について説明する。
図１は、本実施の形態のラミネート物の一例について説明するための図，図２は、本実施の形態の、ラミネート物の他の一例について説明するための図，図３は、図１のＡ−Ａ線断面の一例について説明するための図，図４は、電子ペンの一例について説明するための図，図５は、電子ペン読取り専用ドットパターンについて説明するための図，である。
【００１１】
図１を参照して、本実施の形態のラミネート物の一例について説明する。
図１に示すラミネート物１の例は、シートの両面を保護フィルム１２で被覆し、保護フィルム１２による透明な縁取りが設けられた「パート社員出勤カード」の例である。
シート１１には、「パート社員出勤カード」の文字を含む図柄１１１のほかに、罫線やデザインなどの印刷が赤外線非吸収インキを使用して印刷されている。
さらに、日付情報３１や出退勤情報３２を記載する罫線の内側には電子ペン読取り用のドットパターン１１２が赤外線吸収インキにより印刷されている。図示しないが、裏面にも、同様の印刷が行われる場合もある。
【００１２】
前述の印刷が施されたシート１１は、赤外線吸収物質を含有しない保護フィルム１２によってシート全面にわたってラミネートされている。当然のことながら、前述の保護フィルム１２とシート１１を接着する接着剤（図示せず）にも、赤外線吸収物質は含有されていない。
【００１３】
「パート社員」は、出勤する日としない日があるために、「パート社員出勤カード」には出勤の都度「氏名」を記載する。そのため、「パート社員出勤カード」には「氏名」，「出勤時刻」，「退出時刻」を記載するための罫線と、「日付情報」記載枠が印刷されている。
「パート社員」は出勤、退勤時に備え付けの電子ペンを使用して出勤した順に「氏名」，「出勤時刻」を記載する。また、退勤時には自分の氏名記載欄に「退出時刻」を記載する。
【００１４】
電子ペンのカートリッジには、水性のインクや油性のインクが格納されている。
いずれのインクの場合も、ラミネート物１を再使用する場合は、水や、溶剤で記載部分を拭き取ることができ、記載した部分は再度使用できる状態となる。「パート社員出勤カード」などは、長期間不特定多数の人が使用することにより記載面が手垢などで汚れるために、週に一度洗剤などで保護フィルムの表出面をクリーニングする。
【００１５】
図２を参照して、本実施の形態の、ラミネート物の他の一例について説明する。
図２は、図示しないが、ラミネート物２が電子ペン対応のドットパターンが印刷されたロードマップの例を示している。
車載のナビゲータ（電子ペンと連動している）の初期設定を行うときに最終目的地の場所と出発地点を地図上で指定する。
車を運転して青森市に行く場合は、電子ペンによって、出発地点（省略）と到着予定地点である青森市の場所を東北地方の地図２２上でマークする。
すると、ナビゲータに搭載された行く先設定プログラムが作動し、ナビゲーション機能を起動させる。
地図は繰り返し使用されるために、時々表面の保護フィルム面をクリーニングし常にきれいな状態にしておく。
【００１６】
ラミネート物がロードマップのような場合は、複数のシートが綴じ合わされており、各シートの厚さが薄いほど好ましい。また、水に晒されるようなことが少ないために、片面だけ保護フィルムで被覆することができる。また、シートの周縁はシートを保護フィルムでラミネートした後で断ち切り状態にして使用することができる。
【００１７】
図３を参照して、図１のＡ−Ａ線断面の一例について説明する。
シート１１には、文字を含む図柄１１１のほかに、罫線やデザインなどの印刷が赤外線非吸収インキを使用して印刷されている。
さらに、図１で説明したように、電子ペン読取り用のドットパターン１１２が赤外線吸収インキにより印刷されている。図では、裏面にも、同様の印刷が行われている。
シート１１は、赤外線吸収物質を含有しない保護フィルム１２によってシート全面にわたってラミネートされている。当然のことながら、前述の保護フィルム１２とシートを接着する接着剤４にも、赤外線吸収物質は含有されていない。
図に示す例では、保護フィルム１２による透明な縁取り１２１が設けられている。
【００１８】
電子ペンによってラミネート物１の保護フィルム１２上に必要情報を記載すると、保護フィルム１２や接着剤４を透過させてシート１１の表面に印刷されたドットパターン１１２を読み取って、記載情報を電子ペンに記憶させる。
裏面に、記載する場合も同様である。
ラミネート物を再使用する場合は、電子ペンで記載された水性のインクや油性のインクを水や、溶剤で拭き取る。
「パート社員出勤カード」などは、長期間不特定多数の人が使用することにより記載面が手垢などで汚れるために、週に一度洗剤などで保護フィルムの表出面をクリーニングする。
その際に、保護フィルム１２による透明な縁取り１２１が設けられていれば、ラミネートの境界から水や溶剤が浸透することがない。
【００１９】
ここで、電子ペンと、電子ペン読取り専用ドットパターンを使用する「Ａｎｏｔｏ社」のシステムについて説明する。
電子ペンは、通常の筆記部と、ドットパターンを読み取るための撮像部と、ドットパターン情報を送受信するための送受信部（以下、通信部という）等を搭載している。
例えば、記載者が情報記載欄に文字などを記載すると、ペンの移動に伴って電子ペンに内蔵された撮像部が、ドットパターンによって表示された座標情報を読み取り、接続された通信端末に読み取った座標情報を通信部から送信する。
通信端末は、受信した前記座標情報をネットワークに接続された電子ペンシステム管理サーバに送信する。
電子ペンシステム管理サーバは、受信した座標情報をテキストデータに変換し、利用者側のサーバや、前記通信端末に返信する。
通信端末内に電子ペンシステム管理サーバ機能が内蔵されている場合は、前記座標情報は、電子ペンシステム管理サーバ機能によってテキストデータに変換される。
【００２０】
図４を参照して、電子ペンについて説明する。
電子ペン５は、インクカートリッジ５８を伴った筆記部５６，ドットパターンを読み取るデジタルカメラによる撮像部５５，デジタルカメラで読み取られた筆記情報（ドットパターンの座標情報）を記憶する記憶部５３，携帯通信端末に座標情報を送信する通信部５２，これらの機能を制御する制御部５４，電子ペン用の圧力センサ５７，図示しないが電源部で構成され、これらを電子ペン５の筐体５１の内部に搭載している。
電子ペン５は、撮像部５５から照射される赤外線によって電子ペン記載用紙に印刷されたドットパターンを読み取り、筆記部５６が記載した文字の軌跡を記憶部５３で記憶し、図示しないが、電子ペンのユニークな識別情報などと共に通信部５２から接続された通信端末に送信する。
電子ペンの通信部５２は、ＵＳＢ（Ｕｎｉｖｅｒｓａｌ  Ｓｅｒｉａｌ  Ｂｕｓ），Ｂｌｕｅｔｏｏｔｈ（Ｔｈｅ  Ｂｌｕｅｔｏｏｔｈ  ＳＩＧ，Ｉｎｃ．の登録商標）何れにも対応できるようになっている。
また、電子ペン５の筐体５１に組み込まれた筆記部５６は、単なる筆記具として使用することもできるようになっている。
【００２１】
筆記部５６は、筆記情報を可視状態で記載部に残す役割の他に、デジタルカメラによる撮像部５５と、ドットパターン印刷面との距離を一定にする役割を担っている。
筆記部５６が電子ペン筐体５１に装着されたときに、インクカートリッジ５８側の先端が、電子ペンの筐体５１に取り付けられた電子ペン用の圧力センサ５７に接触するようになっている。
この圧力センサ５７は、情報の記載が開始されることを制御部５４に伝える機能と、筆圧の強弱を認識する機能を備えている。
また、インクカートリッジ５８の残量を確認する場合、または、インクを充填する場合は、例えば、筆記部５６を電子ペン筐体５１の先端から引き抜いてインクの残量確認、または、インクの充填を行う。
【００２２】
図１と、図５を参照して、電子ペン読取り専用ドットパターンについて説明する。
図５は、図１のドットパターン印刷面の一部を拡大したものである。
図５に示す縦横の仮想線は、説明し易くするために記載しており、実際には印刷されていない。
電子ペン読取り専用ドットパターン１１２の各ドットは、０．３ｍｍ間隔で形成された直角に交わる縦横の仮想線の交点近傍に、それぞれ異なる４方向の何れかに配置され、形成されている。「Ａｎｏｔｏ社」のシステムでは、３６個のドット（約４ｍｍ2の内側に印刷されたドット群）を１単位情報として扱っている。
【００２３】
電子ペンで、電子ペン記載用紙上に文字等を記載すると、ペン先がどの位置をなぞっているか、その近傍に印刷されたドットパターンの座標情報を読み取って、ペン先が移動した単位情報の軌跡を電子ペンの記憶部に記憶するようになっている。
電子ペン記載用紙の所定部を電子ペンでマークをすると、電子ペン記載用紙に記載した前記座標情報を電子ペンから通信端末に送信するようになっている。
「Ａｎｏｔｏ社」のシステムでは、一つの利用分野で同一のドットパターンが利用されないように管理されている。
【００２４】
次に、前述の電子ペンシステム管理サーバ（図示せず）について説明する。
電子ペンシステム管理サーバは、多くの場合、ＰＬＳサーバと、ＡＳＨサーバに分けられて使用される。
通信端末から送信された座標情報は、まず、ＰＬＳ（Ｐａｐｅｒ  Ｌｏｏｋ−ｕｐ  Ｓｅｒｖｉｃｅ）と呼ばれる電子ペンシステム管理サーバに送信される。
ＰＬＳサーバは、受信したドットパターンの座標情報から、使用されているアプリケーションを割り出して、そのアプリケーション支援を行うＡＳＨ（Ａｐｐｌｉｃａｔｉｏｎ  Ｓｅｒｖｉｃｅ  Ｈａｎｄｌｅｒ）サーバのＵＲＬ（Ｕｎｉｆｏｒｍ  Ｒｅｓｏｕｒｃｅ  Ｌｏｃａｔｏｒ）と座標情報を通信端末に送信する。電子ペンシステム管理サーバ機能は、通信端末内に組み込まれて使用されることもある。
【００２５】
次に、前述の通信端末（図示せず）について説明する。
通信端末は、例えば、キーボードなどの入力手段，インターネットに接続されて入力情報を送受信する送受信手段，ディスプレイなどの表示手段，入力情報や読み込んだ情報を保存する保存手段とを有する携帯電話，ＰＤＡ（Ｐｅｒｓｏｎａｌ  Ｄｉｇｉｔａｌ  Ａｓｓｉｓｔａｎｃｅ），パーソナルコンピュータのような装置である。
通信端末は、前述のように、電子ペンから送信された情報を電子ペンシステム管理サーバに送信し、テキストデータなどに変換された情報として受信し、利用する。
【００２６】
（実施例）
図３を一部参照して、本実施の形態のラミネート物の実施例について説明する。
シート１１には赤外線を吸収する物質を含まない市販の１０５ｇ／ｍ2の上質紙を使用した。前記材料の他にシート用材料として、坪量４１ｇ／ｍ2〜２１０ｇ／ｍ2の赤外線を吸収する物質を含まない模造紙，上質紙，純白ロール紙，コピー紙，タイプライター用紙等から選択して使用することができる。
ドットパターン１１２，図柄１１１の印刷には、インクテック製ＮＳインキ（酸化重合タイプ）及びインクテック製ＵＶ・ＢＦ−ＳＧインキ（紫外線硬化タイプ）を使用した。
なお、ドットパターンの印刷には黒カーボンインキ、または、赤外領域の光を吸収するインキを使用している。また、図柄の印刷には、電子ペンの読み取りに影響を与えない赤外領域の光を吸収しないインキを使用している。
【００２７】
プリンタでドットパターン１１２を形成する場合は、平版用プリンタ（例えば、沖データ製ＭＬ９６００ＰＳ）等を使用する。プリントに使用するトナーは、スチレン・アクリレート系共重合樹脂を主成分とする赤外線を吸収する黒色トナーを使用する。
【００２８】
また、赤外線を吸収する物質を含まない接着剤塗布済み保護フィルム１２には、アスカ製フィルム（品番：ＢＨ−１０６）を使用した。保護フィルム１２は、ポリエステル・ポリエチレンを主成分とするものであるが、特に前述のものに限定するものではない。ラミネートに使用した装置はＪＯＬ製ＤＩＧＩＴＡＬ−４Ｒ２３０で温度を１３０℃に設定して貼り合わせた。ラミネート装置も前述のものに限定するものではない。
【産業上の利用可能性】
【００２９】
電子ペンを使ったシステムで繰り返し使用したい情報入力媒体として好適に利用できる。
【図面の簡単な説明】
【００３０】
【図１】本実施の形態のラミネート物の一例について説明するための図である。
【図２】本実施の形態のラミネート物の他の一例について説明するための図である。
【図３】図１のＡ−Ａ線断面の一例について説明するための図である。
【図４】電子ペンの一例について説明するための図である。
【図５】電子ペン読み取り専用のドットパターンについて説明するための図である。
【符号の説明】
【００３１】
１，２  ラミネート物
４      接着剤
５      電子ペン
１１    シート
１２    保護フィルム
２１，２２  区分地図
３１    日付情報
３２    出退勤情報
５１    筐体
５２    通信部
５３    記憶部
５４    制御部
５５    撮像部
５６    筆記部
５７    圧力センサ
５８    インクカートリッジ
１１１  図柄
１１２  ドットパターン
１２１  縁取り
【図１】
2010023255.tif 000003
【図２】
2010023255.tif 000004
【図３】
2010023255.tif 000005
【図４】
2010023255.tif 000006
【図５】
2010023255.tif 000007